(57)【特許請求の範囲】
【請求項１】
相互に嵌合接続される一組の雌雄コネクタの内、前方に開口したインナハウジングと該インナハウジングを覆いスライダを摺動可能に装着するアウタハウジングとから構成され、
前記インナハウジング上の前方側にハウジングロックを有するロックアームが設けられた一方のコネクタと、前記スライダに突き当たるとともに前記ロックアームを撓ませる係合突起がハウジング上に設けられた他方のコネクタとを備え、
前記スライダが、前記アウタハウジング内をコネクタ嵌合方向に摺動する第１スライド部材と、前記第１スライド部材後方に係合されて相対的に移動可能な第２スライド部材と、前記第１及び第２スライド部材を互いに離反させる方向に付勢可能な弾性部材とから構成され、
中途嵌合状態で嵌合方向とは逆の離脱方向に前記弾性部材の復元力により前記第１スライド部材及び前記他方のコネクタを押し戻すことで中途嵌合状態を検知しているコネクタ嵌合構造において、
前記第２スライド部材は、前記一方のコネクタに備えられた第１係止部に係合して前記第２スライド部材をコネクタ嵌合開始時の初期位置に保持する第２係止部を有する撓み変位可能な係合アームを備え、
前記第１スライド部材は、ストッパ突起と、係合解除部を備え、
コネクタ嵌合前の前記第１スライド部材が押し込まれない状態においては、 前記ストッパ突起が前記係合アームの第２係止部下面を支持することで、前記第１係止部と前記第２係止部との不意な係合解除を防止して、前記第２スライド部材の後方側への移動を阻止し、
前記第１スライド部材が前記他方のコネクタによって押し込まれると、前記ストッパ突起が前記第２係止部下面より移動すると共に、前記係合解除部が該第２係止部先端に当接して該第１係止部との係合を解除することで該第２スライド部材の後方側への移動を可能とすることを特徴とするコネクタ嵌合構造。
【発明の詳細な説明】
【０００１】
【発明の属する技術分野】
本発明は、相互に嵌合接続される一組の雌雄コネクタのコネクタ嵌合構造に関する。
【０００２】
【従来の技術】
通常、自動車等の車両には、多数の電子機器が搭載されており、それら機器への電源供給や制御のために様々なケーブルとそのケーブル接続用の雌雄コネクタが多用されている。この雌雄コネクタには、振動や冠水等の厳しい環境での使用に耐え得る耐久性・防水機能を有し、組立工程やメンテナンス時にワイヤーハーネス等を容易に着脱できる構成のものが使用されている。
【０００３】
従来のコネクタ嵌合構造の一例を図８〜図１１に基づいて説明する。図８に示すように、コネクタ嵌合構造５１を構成する一方のコネクタである雄コネクタ６０は、所定数のソケットコンタクトを嵌入する端子収容室を備え、前方に開口したインナハウジング６２と、インナハウジング６２外周を覆うアウタハウジング６１とから構成されている。
【０００４】
アウタハウジング６１は、スライダ７０を収容するスライダ収容部６３を備え、その両側端のハウジング内面にはスライダ７０の両側端部を案内するガイド溝６５が設けられている。スライダ収容部６３内において、インナハウジング６２上にはコネクタ嵌合方向に沿った前方側に自由端部を有するロックアーム６６が一体的に設けられている。
【０００５】
ロックアーム６６の先端上部には、他方のコネクタである雌コネクタ９０の係合突起９３を係止するハウジングロック６８が設けられている。また、ロックアーム６６先端には、雌コネクタ９０の押圧リブ９２の挿通を許容する挿通空間６６ａが形成されている。さらに、ロックアーム６６の中央上部には嵌合解除時に押圧される押圧部６９が設けられている。
スライダ収容部６３内におけるコネクタ嵌合方向に沿った後方側の側方空間６３ａには、スライダ７０の後方への移動を一時的に阻止する一対の係止アーム６７が設けられている。
【０００６】
スライダ７０は、第１スライド部材７１と、第１スライド部材７１後方に係合される第２スライド部材７６と、第２スライド部材７６内に保持される圧縮バネ８３とから構成されている。
第１スライド部材７１は、後方に延びて圧縮バネ８３の前端に当接する一対のストッパアーム部７３，７３と、それらアーム部を連結する連結部７４とを備えている。連結部７４には、雌コネクタ９０の押圧リブ９２が当接する当接部７５が設けられている。また、連結部７４の両側端には、第２スライド部材７６の係合アーム部７８の移動を許容する一対のスライド溝７２，７２が設けられている。
【０００７】
第２スライド部材７６は、前方に延設された係止部７７を備えている。係止部７７は、コネクタ嵌合操作時にロックアーム６６先端のハウジングロック６８に係合する。係止部７７の前端中央部には、雌コネクタ９０の押圧リブ９２の挿通を許容する挿通切欠部７７ａが設けられている。また、第２スライド部材７６の中央上部には、ロックアーム６６の押圧部６９を上方から覆って、嵌合解除時に押圧される操作部７９が設けられている。
【０００８】
スライダ７０を組み立てる際には、圧縮バネ８３を第２スライド部材７６のバネ収容室８１内に挿着してから、第１スライド部材７１のストッパアーム部７３をバネ収容室８１内に挿入する。そして、係合アーム部７８をストッパアーム部７３の係止面７３ａに係合させることで、第１スライド部材７１と第２スライド部材７６とが一体化される。このように一体化されたスライダ７０は、雄コネクタ６０の前方から装着され、第２スライド部材７６の後端が係合アーム６７の係止突起６７ａによって係止されるまで押し込まれる。
【０００９】
雌コネクタ９０は、前方に開口したハウジング挿入口９４を備えている。ハウジング９１上には、第１スライド部材７１の当接部７５に当接する押圧リブ９２が立設されている。押圧リブ９２の前端両側面には、ロックアーム６６を撓ませる一対の係合突起９３，９３が設けられている。
【００１０】
次に、雌雄コネクタ６０，９０の嵌合作用を説明する。
図９に示すように嵌合操作を開始すると、雌コネクタ９０の押圧リブ９２が第２スライド部材７６の挿通切欠部７７ａ（図８参照）に挿通され、押圧リブ９２前端が第１スライド部材７１の当接部７５に当接する。
【００１１】
嵌合操作を進めていくと、雌コネクタ９０の押圧リブ９２が、第１スライド部材７１を押し込みながら雄コネクタ６０のロックアーム６６の挿通空間６６ａ（図８参照）内に進入する。この時、ロックアーム６６先端のハウジングロック６８の傾斜面と押圧リブ９２前端の係合突起９３とが摺接して、ロックアーム６６先端側を雌コネクタ９０のハウジング９１側に変位させる。これにより、図１０に示すようにハウジングロック６８先端部分が第２スライド部材７６の係止部７７に係合され、第２スライド部材７６が摺動できない状態となる。
【００１２】
さらに嵌合操作を進めていくと、押圧リブ９２に押されて第１スライド部材７１が後方に移動する。この時、第１スライド部材７１のスライド溝７２（図８参照）内へと第２スライド部材７６の係合アーム部７８が移動される。このように第２スライド部材７６が制止された状態で第１スライド部材７１が移動されることで、第２スライド部材７６内の圧縮バネ８３が圧縮され、圧縮バネ８３には弾性復帰しようとする復元力が発生する。
仮に、雄コネクタ６０のハウジングロック６８と雌コネクタ９０の係合突起９３とが完全に係合していない中途嵌合状態で嵌合操作を停止すると、圧縮バネ８３の復元力でコネクタ嵌合方向とは逆の離脱方向に第１スライド部材７１が押し戻される。これにより、中途嵌合状態を容易に検知することができる。
【００１３】
そして、圧縮バネ８３に抗して嵌合操作を進めると、図１１に示すように雌コネクタ９０の係合突起９３がロックアーム６６先端のハウジングロック６８を乗り越える。この時ロックアーム６６が弾性復帰する。これにより、ハウジングロック６８先端部分と係止部７７との係合が解除されるとともにハウジングロック６８が係合突起９３後端に係合される。すなわち、雄コネクタ６０と雌コネクタ９０とが完全嵌合状態になり、双方のコンタクト６４，９５も電気的に完全な接続状態となる。
【００１４】
図１１に示す完全嵌合状態を解除するには、第２スライド部材７６の操作部７９を、ロックアーム６６の押圧部６９を覆う位置まで圧縮バネ８３の復元力に抗して手指等で押し戻す。その状態で操作部７９を押圧することで押圧部６９が押され、ロックアーム６６のハウジングロック６８が図中下方に変位される。これにより、ハウジングロック６８と係合突起９３との係合が解除される。この時、圧縮されていた圧縮バネ８３の復元力で第１スライド部材７１が前方に押し戻される。これにより、第１スライド部材７１の当接部７５に当接していた雌コネクタ９０の押圧リブ９２を介して雌コネクタ９０が離脱方向に押し戻される。
【００１５】
【発明が解決しようとする課題】
上述した従来のコネクタ嵌合構造５１では、嵌合操作前、スライダ７０が雄コネクタ６０のスライダ収容部６３内に組み付けられた状態において、圧縮バネ８３に僅かながら復元力が生じている。このため、例えば部品搬送時の振動等に起因して係止アーム６７の係止突起６７ａによる第２スライド部材７６の係止が外れて、第２スライド部材７６がスライダ収容部６３の後方側（図９では右側）に、圧縮バネ７３の付勢力により移動してしまうことがあった。第２スライド部材７６がこのように移動してしまうと、嵌合操作を開始するにあたって先ず第２スライド部材７６を初期位置（図９に示される位置）まで押し戻す操作が必要となるため、嵌合作業が煩雑になってしまう。
【００１６】
本発明は、上記事情に鑑みてなされたもので、その目的は、一組の雌雄コネクタの中途嵌合状態を確実に検知できるとともに嵌合作業を容易に行えるコネクタ嵌合構造を提供することにある。
【００１７】
【課題を解決するための手段】
本発明の上記目的は、相互に嵌合接続される一組の雌雄コネクタの内、前方に開口したインナハウジングと該インナハウジングを覆いスライダを摺動可能に装着するアウタハウジングとから構成され、前記インナハウジング上の前方側にハウジングロックを有するロックアームが設けられた一方のコネクタと、前記スライダに突き当たるとともに前記ロックアームを撓ませる係合突起がハウジング上に設けられた他方のコネクタとを備え、前記スライダが、前記アウタハウジング内をコネクタ嵌合方向に摺動する第１スライド部材と、前記第１スライド部材後方に係合されて相対的に移動可能な第２スライド部材と、前記第１及び第２スライド部材を互いに離反させる方向に付勢可能な弾性部材とから構成され、中途嵌合状態で嵌合方向とは逆の離脱方向に前記弾性部材の復元力により前記第１スライド部材及び前記他方のコネクタを押し戻すことで中途嵌合状態を検知しているコネクタ嵌合構造において、前記第２スライド部材は、前記一方のコネクタに備えられた第１係止部に係合して前記第２スライド部材をコネクタ嵌合開始時の初期位置に保持する第２係止部を有する撓み変位可能な係合アームを備え、前記第１スライド部材は、ストッパ突起と、係合解除部を備え、コネクタ嵌合前の前記第１スライド部材が押し込まれない状態においては、 前記ストッパ突起が前記係合アームの第２係止部下面を支持することで、前記第１係止部と前記第２係止部との不意な係合解除を防止して、前記第２スライド部材の後方側への移動を阻止し、前記第１スライド部材が前記他方のコネクタによって押し込まれると、前記ストッパ突起が前記第２係止部下面より移動すると共に、前記係合解除部が該第２係止部先端に当接して該第１係止部との係合を解除することで該第２スライド部材の後方側への移動を可能とすることを特徴とするコネクタ嵌合構造により達成される。
【００１８】
以上のようなコネクタ嵌合構造では、雌雄コネクタの嵌合操作を開始する前の、スライダが、第２スライド部材の第２係止部を一方のコネクタの第１係止部に係止された初期位置にある状態において、第１スライド部材のストッパ突起が第２係止部下面を支持することで、第１係止部と第２係止部との係合解除を阻止する。したがって、コネクタ嵌合前に第２スライド部材が移動してしまうことを確実に防止できるため、第２スライド部材を初期位置まで押し戻す操作等が不要となり、嵌合作業を容易かつ迅速に行える。
【００１９】
【発明の実施の形態】
以下、本発明の一実施形態を図面に基づいて詳細に説明する。図１は、本実施形態であるコネクタ嵌合構造のコネクタ嵌合前の状態を示す断面図であり、図２は、図１のコネクタ嵌合構造におけるスライダの構成を示す分解斜視図、図３は、図２の雄コネクタにスライダを組み付けた状態を示す斜視図である。
また図４は、図１のコネクタ嵌合構造のコネクタ嵌合開始時の状態を示す断面図、図５は、図１のコネクタ嵌合構造のコネクタ嵌合途中の状態を示す断面図である。図６は、図１のコネクタ嵌合構造のコネクタ嵌合完了時の状態を示す断面図、図７は、図１のコネクタ嵌合構造のコネクタ嵌合解除時の状態を示す断面図である。
【００２０】
図１に示すように、コネクタ嵌合構造１は、一方のコネクタとしての雄コネクタ２と、他方のコネクタとしての雌コネクタ３と、スライダ４とを備えている。
雄コネクタ２は、所定数のソケットコンタクト６を嵌入する端子収容室７を備えるとともに前方に開口したインナハウジング２ａと、インナハウジング２ａを覆うフード状のアウタハウジング５とを備えている。アウタハウジング５の内面とインナハウジング２ａの外面の一部（図では上壁の上面）との間に、スライダ収容部１１が区画されている。インナハウジング２ａの上面には、コネクタ嵌合方向に沿った前方側に自由端部を有するロックアーム８が片持ち構造で一体的に設けられている。ロックアーム８の先端上面には、ハウジングロック８ａが設けられている。またロックアーム８の中央部上面には、押圧部８ｂが設けられている。ロックアーム８下面及びインナハウジング２ａ上面の間には、挿通空間１３が形成されている。インナハウジング２ａの外周にはシール部材１４が被せられている。
【００２１】
アウタハウジング５の内面の一部（図では上壁の下面）には、突起状ないし鉤状の第１係止部１５が設けられている。この第１係止部１５は、後述するスライダ４の第２係止部１６ａと係合している。
【００２２】
図２に示すようにスライダ４は、アウタハウジング５内をコネクタ嵌合方向に摺動する第１スライド部材２１と、第１スライド部材２１の後方（コネクタ嵌合方向における後方）に係合される第２スライド部材２２とを備えている。またスライダ４は、第２スライド部材２２の内部に保持され、第１スライド部材２１及び第２スライド部材２２を互いに離反させる方向に付勢する弾性部材としての圧縮バネ２３，２３を備えている。
【００２３】
第１スライド部材２１は、後方に延設された一対のストッパアーム部２４，２４と、それらストッパアーム部２４を前端（コネクタ嵌合方向における前端）で連結する連結部２５とを備えている。連結部２５の前端側における、アウタハウジング５内に組み付けられた際にインナハウジングに相対する面（図では下面）には、当接部２７が設けられている。また連結部２５の後端側における図中下面には、第１、第２スライド部材２１，２２が嵌合操作に伴って接近した際に第２スライド部材２２が連結部２５に干渉することを防ぐスライド溝２９が設けられている。ストッパアーム部２４の図中上面には、係止補助面２４ａが設けられている。さらにストッパアーム部２４の図中上面後端側には、ストッパとしてのストッパ突起３０が設けられている。ストッパアーム部２４の図中下側には、圧縮バネ２３の前端を保持する保持突起４３が設けられている。
【００２４】
第２スライド部材２２は、前方に延設された係止部３１を備えている。係止部３１は、コネクタ嵌合操作時にハウジングロック８ａと係合する。係止部３１の前端中央部には、挿通切欠部３１ａが設けられている。第２スライド部材２２の、アウタハウジング５内に組み付けられた際にアウタハウジング５の操作用切欠５ａに相対する側（図では上側）には、操作部３２が設けられている。また第２スライド部材２２の図中上側には、一対の補助アーム２８，２８が前方に延設されている。補助アーム２８の先端には、第１スライド部材２１の係止補助面２４ａに係止される係止補助突起２８ａが形成されている。
【００２５】
さらに第２スライド部材２２の図中上側には、一対の第１係合アーム１６，１６が前方に延設されている。第１係合アーム１６先端の図中上側には、突起状ないし鉤状の第２係止部１６ａが設けられている。
【００２６】
雄コネクタ２の、アウタハウジング５の図中上壁には、第２スライド部材２２の操作部３２を外部から操作することを許容する操作用切欠５ａが設けられている。アウタハウジング５の内面両側端には、スライダ４の両側端部を案内するガイド溝１２が設けられている。スライダ収容部１１内における、ロックアーム８とアウタハウジング５内面との間には、側方空間１１ａが区画されている。
【００２７】
スライダ４を組み立てる際には、圧縮バネ２３を図中矢印ａ方向に第２スライド部材２２の両側に形成した嵌合溝４１に差し込み、嵌合溝４１の奥に突設した保持突起４２に圧縮バネ２３の一端を保持させる。この状態で、第１スライド部材２１を図中矢印ｂ方向に第２スライド部材２２に向かって接近させ、圧縮バネ２３の他端に第１スライド部材２１の保持突起４３を嵌挿する。そして、第１スライド部材２１の係止補助面２４ａに第２スライド部材２２の係止補助突起２８を係止させることで、第１スライド部材２１及び第２スライド部材２２が、コネクタ嵌合方向に沿って接近・離反可能に（接離可能に）一体化される。
【００２８】
組み立てたスライダ４を、図中矢印Ａ方向に移動して雄コネクタ２のスライダ収容部１１に挿入していくと、操作部３２がアウタハウジング５の上壁の内面に当接して、図中下方に変形された状態でその内面上を摺動する。そして操作部３２が操作用切欠５ａに達した時、操作部３２が元の形状に弾性復帰する。したがって、スライダ４が正規に装着されたか否かを操作部３２の状態により確認することができる。
図３に示すように、スライダ４がアウタハウジング５内に完全に装着された際には、操作部３２が操作用切欠５ａを介して外部に露呈する。また、第１スライド部材の連結部２５及び当接部２７が、アウタハウジング５の前端側に露呈する。
【００２９】
図１に戻る。スライダ４をスライダ収容部１１内に装着した際には、アウタハウジング５の第１係止部１５と第２スライド部材２２の第２係止部１６ａとが係合して、第２スライド部材２２がスライダ収容部１１後方側（図では右側）に移動しないようになっている。そして、第１スライド部材２１のストッパ突起３０は、第２スライド部材２２の第１係合アーム１６の、第２係止部１６ａが設けら箇所における反対側の面（図では下面）を支持して、第１係止部１５と第２係止部１６ａとの係合が不意に解除されることを阻止している。ここではストッパ突起３０が、第１係止部１５と第２係止部１６ａとの係合面の延長線上付近において第１係合アーム１６に当接している。
【００３０】
第２スライド部材２２の操作部３２の図中下側には、可撓性を有する第２係合アーム３３が設けられている。第２係合アーム３３は、スライダ収容部１１内に装着されたスライダ４の抜け出しを阻止するもので、先端に第３係止部３３ａが設けられている。第３係止部３３ａは、ロックアーム８の押圧部８ｂに当接されており、これによりスライダ４の抜け出しが阻止されている。
【００３１】
他方のコネクタとしての雌コネクタ３のハウジング３４内では、ピンコンタクト３５がコネクタ嵌合方向に突出している。ハウジング３４上には、スライダ４の第１スライド部材２１の当接部２７に突き当たる板状の押圧リブ２６が嵌合方向に沿って立設されている。押圧リブ２６の前端側の両側面には、係合突起３６が設けられている。
【００３２】
次に、雌雄コネクタ２，３の嵌合作用を説明する。
図１に示す状態から嵌合操作を開始すると、雌コネクタ３の押圧リブ２６が第２スライド部材２２の挿通切欠部３１ａ（図２参照）を挿通して、押圧リブ２６前端が第１スライド部材２１の当接部２７に当接する。嵌合操作を進めていくと、押圧リブ２６が第１スライド部材２１をスライダ収容部１１後方側に押し込んでいく。この時、図４に示すように、第１スライド部材２１のストッパ突起３０もスライダ収容部１１後方側に移動され、ストッパ突起３０が、第２スライド部材２２の第１係合アーム１６の第２係止部１６ａが設けられた箇所における図中下面を支持しなくなる。
【００３３】
またこの時、ロックアーム８先端のハウジングロック８ａの傾斜面と押圧リブ２６前端の係合突起３６とが摺接して、ロックアーム８先端側が雌コネクタ３のハウジング３４側に（図では下側に）撓まさせる。これにより図４に示すように、第２スライド部材２２の係止部３１がハウジングロック８ａ先端部分に係合され、第２スライド部材２２がスライダ収容部１１後方側に移動できない状態となる。一方、第１スライド部材２１は、スライダ収容部１１後方側に押し込まれていく。このように第２スライド部材２２が制止された状態で第１スライド部材２１が移動されることで、第２スライド部材２２内の圧縮バネ２３（図１参照）が圧縮され、圧縮バネ２３には弾性復帰しようとする復元力が生じる。仮に、中途嵌合状態で嵌合操作を停止すると、圧縮バネ２３の復元力で嵌合方向とは逆の離脱方向に第１スライド部材２１及び雌コネクタ３が押し戻される。これにより、中途嵌合状態を容易に検知することができる。
【００３４】
さらに嵌合操作を進めていくと、係合解除手段としての第１スライド部材２１の連結部２５の上壁後端部２５ａが、第２係止部１６ａ前端の傾斜面１６ｂ上を摺動する。これにより、図５に示すように、第１係合アーム１６先端が図中下方に撓み、第２係止部１６ａがスライド溝２９内に挿入されていく。そして、第２係止部１６ａと第１係止部１５との係合が解除されていく。
【００３５】
さらに嵌合操作を進めていくと、係合突起３６がハウジングロック８ａを乗り越えて、図６に示すように、ロックアーム８が元の形状に弾性復帰する。これにより、ハウジングロック８ａ先端部分と係止部３１との係合が解除されるとともにハウジングロック８ａが係合突起３６後端に係合される。また、第１係止部１５と第２係止部１６ａとの係合が完全に解除されて、スライダ４全体が圧縮バネ２３の復元力によってスライダ収容部１１の後方側に移動する。このとき雄コネクタ２及び雌コネクタ３が完全嵌合状態になり、双方のコンタクトも電気的に完全な接続状態となる。
【００３６】
次に、雌雄コネクタ２，３の嵌合解除作用について説明する。
嵌合解除の際には、図６に示した操作部３２をスライダ収容部１１前方側（図では左側）に、圧縮バネ２３の復元力に抗して手指等で押動して、第２スライド部材２２をスライダ収容部１１前方側に移動する。すると、傾斜面にされた第２係止部１６ａの摺動面１６ｂが、同様な傾斜面にされた第１係止部１５の摺動面１５ａ上を摺動する。この時、第２スライド部材２２の第１係合アーム１６の、第２係止部１６ａが設けられた箇所における図中下面が、ストッパ突起３０によって支持されていないので、第１係合アーム１６は容易に撓まされ、第２係止部１６ａが図７に示すように第１係止部１５を乗り越えていく。また、第２係合アーム３３の第３係止部３３ａがロックアーム８の押圧部８ｂ上に乗り上げることでロックアーム８が図中下方に撓まされ、ロックアーム８先端のハウジングロック８ａと係合突起３６との係合が解除される。この時、圧縮されていた圧縮バネ２３の復元力で第１スライド部材２１がスライダ収容部１１前方側に押し戻される。これにより、雌コネクタ３が離脱方向に押し戻される。
【００３７】
以上のようなコネクタ嵌合構造１においては、雌雄コネクタ２，３の嵌合操作を開始する前の、スライダ４が、第２スライド部材２２の第２係止部１６ａを雄コネクタ２の第１係止部１５に係止された初期位置にある状態において、第１スライド部材２１のストッパ突起３０が、第１係止部１５と第２係止部１６ａとの係合解除を阻止する。したがって、振動等に起因して嵌合前に第２スライド部材２２が移動してしまうことを確実に防止できるため、第２スライド部材２２を初期位置まで押し戻す操作等が不要となり、嵌合作業を容易かつ迅速に行える。
【００３８】
また、嵌合解除時には、第２スライド部材２２の第１係合アーム１６の、第２係止部１６ａが設けられた箇所における反対側の面がストッパ突起３０によって支持されていないので、第１係合アーム１６は容易に撓まされて、第１係止部１５と第２係止部１６ａとの係合解除が円滑に行われる。したがって、嵌合解除作業を容易に行える。
【００３９】
なお本発明は、前述した実施形態に限定されるものではなく、適宜な変形、改良等が可能である。
例えば、前述した実施形態では、ストッパが突起状のストッパ突起３０とされていたが、ストッパとしての作用を奏するものであれば、その形態は限定されない。また、スライダ４が雄コネクタ２に収容されていたが、雌コネクタ３に収容することも可能である。また、ロックアーム８や第１係合アーム１６が、２本ずつ設けられていたが、１本であってもよい。
【００４０】
【発明の効果】
以上のように本発明によれば、雌雄コネクタの嵌合操作を開始する前の、スライダが、第２スライド部材の第２係止部を一方のコネクタの第１係止部に係止された初期位置にある状態において、第１スライド部材は、コネクタ嵌合前の前記第１スライド部材が押し込まれない状態においては、前記ストッパ突起が前記係合アームの第２係止部下面を支持することで、前記第１係止部と前記第２係止部との不意な係合解除を防止して、前記第２スライド部材の後方側への移動を阻止する。
したがって、振動等に起因して、嵌合前に第２スライド部材が移動してしまうことを確実に防止できるため、第２スライド部材を初期位置まで押し戻す操作等が不要となり、嵌合作業を容易かつ迅速に行える。
【図面の簡単な説明】
【図１】本発明のコネクタ嵌合構造の一実施形態を示す断面図である。
【図２】スライダの構成を示す分解斜視図である。
【図３】スライダを組み付けた雄コネクタを示す斜視図である。
【図４】雌雄コネクタの嵌合開始時の状態を示す断面図である。
【図５】雌雄コネクタの嵌合途中の状態を示す断面図である。
【図６】雌雄コネクタの完全嵌合状態を示す断面図である。
【図７】雌雄コネクタの嵌合解除時の状態を示す断面図である。
【図８】従来のコネクタ嵌合構造の分解斜視図である。
【図９】従来のコネクタ嵌合構造のコネクタ嵌合前の状態を示す断面図である。
【図１０】図９のコネクタ嵌合構造の嵌合途中の状態を示す断面図である。
【図１１】図９のコネクタ嵌合構造の完全嵌合状態を示す断面図である。
【符号の説明】
１      コネクタ嵌合構造
２      雄コネクタ（一方のコネクタ）
２ａ    インナハウジング
３      雌コネクタ（他方のコネクタ）
４      スライダ
５      アウタハウジング
８      ロックアーム
８ａ    ハウジングロック
１５    第１係止部
１６ａ  第２係止部
２１    第１スライド部材
２２    第２スライド部材
２３    圧縮バネ（弾性部材）
３０    ストッパ突起（ストッパ）
３４    ハウジング
３６    係合突起
【図１】
0003841389.tif 000002
【図２】
0003841389.tif 000003
【図３】
0003841389.tif 000004
【図４】
0003841389.tif 000005
【図５】
0003841389.tif 000006
【図６】
0003841389.tif 000007
【図７】
0003841389.tif 000008
【図８】
0003841389.tif 000009
【図９】
0003841389.tif 000010
【図１０】
0003841389.tif 000011
【図１１】
0003841389.tif 000012